(57)【要約】【課題】操作に不慣れなものでも原稿画像に即したフォームデータを容易に選択することができ、更に選択したフォームデータと原稿画像から最適な合成画像を提供することのできる画像形成装置を提供する。【解決手段】フォーム画像格納手段１３ａ１に記憶された複数のフォーム画像１１０ｂから選択されたフォーム画像１１０ｂを表示部１１０に表示する表示手段１０１ｂと、原稿読取手段１２から入力された原稿画像１１０ｃを前記フォーム画像１１０ｂに重ね合せて前記表示部１１０に表示する合成画像表示手段１０１ｄと、前記原稿画像１１０ｃを選択されたフォーム画像１１０ｂに重ね合せて印刷する合成画像印刷手段１３ｂ１を備えてなる画像形成装置に、前記合成画像表示手段１０１ｄにより表示された合成画像１１０ｄに対して前記フォーム画像１１０ｂを編集操作するフォーム画像編集操作手段１３ａ２を備える。【選択図】図１
2007306263.tif 000002
【特許請求の範囲】
【請求項１】
フォーム画像格納手段に記憶された複数のフォーム画像から選択されたフォーム画像を表示部に表示する表示手段と、原稿読取手段から入力された原稿画像を前記フォーム画像に重ね合せて前記表示部に表示する合成画像表示手段と、前記原稿画像を選択されたフォーム画像に重ね合せて印刷する合成画像印刷手段を備えてなる画像形成装置であって、
前記合成画像表示手段により表示された合成画像に対して前記フォーム画像を編集操作するフォーム画像編集操作手段を備えている画像形成装置。
【請求項２】
前記フォーム画像編集操作手段は、前記フォーム画像の濃度、カラー、向き、位置、または、倍率の何れかを編集操作する編集操作部を備えている請求項１記載の画像形成装置。
【請求項３】
前記合成画像表示手段は、前記原稿読取手段にセットされた複数枚の原稿から少なくとも一枚の原稿画像を入力し、当該原稿画像との合成画像を表示する原稿読取起動キーを備えている請求項１または２記載の画像形成装置。
【発明の詳細な説明】
【技術分野】
【０００１】
本発明は、フォーム画像格納手段に記憶された複数のフォーム画像から選択されたフォーム画像を表示部に表示する表示手段と、原稿読取手段から入力された原稿画像を前記フォーム画像に重ね合せて前記表示部に表示する合成画像表示手段と、前記原稿画像を選択されたフォーム画像に重ね合せて印刷する合成画像印刷手段を備えてなる画像形成装置に関する。
【背景技術】
【０００２】
従来より、多くの画像形成装置には、印刷対象となる原稿画像に対しロゴタイプ等を付して印刷したり、帳票等のように特定のフォームに従った文章を数多く印刷する際に、予めフォーム画像格納手段に記憶した、前記ロゴタイプ等の画像や前記帳票等のフォームイメージを印刷実行時に読出し、前記原稿画像と合成して印刷するフォームオーバーレイ機能が備えられている。
【０００３】
前記フォームイメージと前記原稿画像とを合成して印刷する際に、実際に原稿画像を出力して初めて前記フォームイメージと前記原稿画像の合成状態を確認する構成では、紙資源を無駄に消費しコストの増加を招くと共に、作業効率をいたずらに低下させる等の問題が生じる虞があり、印刷実行前に前記合成状態を確認できることが望ましい。
【０００４】
そこで、特許文献１では、予め設定されたフォームイメージを印刷装置に依存する制御コードで示した印刷用フォームデータと印刷指示されたデータとを該印刷装置でイメージ合成して印刷する印刷システムであって、前記フォームイメージを前記印刷装置に依存しない制御コードで示した表示用フォームデータが格納される格納手段と、この格納手段に格納された表示用フォームデータおよび前記印刷指示されたデータをプレビュー要求に応じてイメージ合成することによりプレビューデータを生成するプレビューデータ生成手段と、このプレビューデータ生成手段により生成されたプレビューデータを表示する表示手段とを備えたことを特徴とする印刷システムが提案されている。
【０００５】
また、特許文献２には、原稿読取装置により読み取られた原稿または仮想の原稿のプレビュー画像をプレビュー画面内に表示する表示部と、前記表示部上に表示された前記プレビュー画像の一部または全体を移動させて、登録されているフォームのプレビュー画像を原稿のプレビュー画像に重ね合わせを行うための操作手段と、前記操作手段の操作開始位置の座標と、連続する軌跡の移動量と方向を検出し、その検出結果に応じて、前記操作手段による前記原稿のプレビュー画像の変更の結果による表示に基づいた画像形成と印刷、あるいは後処理を行わせる制御手段とを備えたことを特徴とする画像形成装置が提案されている。
【０００６】
【特許文献１】特開平１１−１８４６６６号公報
【特許文献２】特開２００４−２８２４３９号公報
【発明の開示】
【発明が解決しようとする課題】
【０００７】
しかし、特許文献１で提案されている印刷システム、並びに特許文献２で提案されている画像形成装置では、原稿画像とフォームデータの合成画像のプレビュー画像を表示させ、印刷実行前に合成画像の状態を確認することができるように構成されているが、読み出した前記フォームデータに対する、前記原稿画像に即した編集操作、例えば前記原稿画像と前記フォームデータの向きが異なる場合にその向きを一致させる等、は考慮されていない為、１つのフォームデータと前記原稿画像との合成画像は画一的なものとなり、前記原稿画像に即した最適な合成画像として印刷できない虞があった。更に前記フォームデータの読み出し操作の操作性も考慮が不足がちであった。そこで、原稿画像と１つのフォームデータから前記原稿画像に即した最適な合成画像を生成し、更に前記フォームデータを読み出す際の操作性のよいフォームオーバーレイ機能を提供する点で、更なる改善の余地があった。
【０００８】
本発明の目的は、上述した従来技術を鑑み、操作に不慣れなものでも原稿画像に即したフォームデータを容易に選択することができ、更に選択したフォームデータと原稿画像から最適な合成画像を提供することのできる画像形成装置を提供する点にある。
【課題を解決するための手段】
【０００９】
上述の目的を達成するため、本発明による画像形成装置の第一の特徴構成は、特許請求の範囲の書類の請求項１に記載した通り、フォーム画像格納手段に記憶された複数のフォーム画像から選択されたフォーム画像を表示部に表示する表示手段と、原稿読取手段から入力された原稿画像を前記フォーム画像に重ね合せて前記表示部に表示する合成画像表示手段と、前記原稿画像を選択されたフォーム画像に重ね合せて印刷する合成画像印刷手段を備えてなる画像形成装置であって、前記合成画像表示手段により表示された合成画像に対して前記フォーム画像を編集操作するフォーム画像編集操作手段を備えている点にある。
【００１０】
上述の構成によれば、プレビュー表示された、原稿画像と選択されたフォーム画像との合成画像の状態を確認しながら前記フォーム画像を編集操作して、前記原稿画像と変更を加えた前記フォーム画像との合成画像の状態を確認できるため、前記原稿画像に即して前記フォーム画像を編集し、最適な合成画像を生成することができる。
【００１１】
同第二の特徴構成は、同請求項２に記載した通り、上述の第一の特徴構成に加えて、前記フォーム画像編集操作手段は、前記フォーム画像の濃度、カラー、向き、位置、または、倍率の何れかを編集操作する編集操作部を備えている点にある。
【００１２】
上述の構成によれば、前記原稿画像に即して前記フォーム画像を最適に編集し、合成画像を生成することができる。
【００１３】
同第三の特徴構成は、同請求項３に記載した通り、上述の第一または二の特徴構成に加えて、前記合成画像表示手段は、前記原稿読取手段にセットされた複数枚の原稿から少なくとも一枚の原稿画像を入力し、当該原稿画像との合成画像を表示する原稿読取起動キーを備えている点にある。
【００１４】
上述の構成によれば、多数枚原稿に対してフォーム合成するとき、全原稿を読み込ませなくても一枚目の原稿のみ読み込ませた後に編集できるので、編集操作を迅速に行うことができる。
【発明の効果】
【００１５】
以上説明した通り、本発明によれば、操作に不慣れなものでも原稿画像に即したフォームデータを容易に選択することができ、更に選択したフォームデータと原稿画像から最適な合成画像を提供することのできる画像形成装置を提供することができるようになった。
【発明を実施するための最良の形態】
【００１６】
以下に本発明による画像形成装置の実施の形態を、電子写真方式の複合機を用いて説明する。
【００１７】
本発明による画像形成装置の一例である複合機１は、図２に示すように、各種の動作メニューを設定する複数のメニュー設定キーや、設定されたメニューで複写動作を起動するスタートキー等が配置された操作部１０と、本発明の原稿読取手段であり、原稿載置部１１にセットされた一連の原稿を順次読込んで電子データに変換する画像読取部１２と、前記画像読取部１２によって電子データに変換された画像データ等に基づいて用紙上にトナー像を形成して出力する電子写真方式の画像形成部１３と、用紙が収容された給紙カセット１４と、図示しない外部のＦＡＸと画像データの送受信を行うためのＦＡＸモデム１５と、ネットワークＬＡＮを介して複数のＰＣと画像データの送受信を行うための外部インターフェース１６と、該複合機１を統括制御する制御部１７を備えて構成されている。
【００１８】
前記画像形成部１３は、前記画像読取部１２や前記ＦＡＸモデム１５や外部インターフェース１６から入力された画像データに基づいて出力画像データを生成する画像処理手段１３ａと、前記出力画像データに基づいて画像を印刷する画像形成手段１３ｂとからなり、これらの機能は、前記画像形成部１３が備える、ＣＰＵと、当該ＣＰＵで実行される制御プログラムが記憶されたＲＯＭと、作業領域となるＲＡＭと、周辺回路及びそれらにより駆動される画像形成部材等が共働して実行する。
【００１９】
前記操作部１０は、例えば原稿から読み込んだ画像データを複写して出力する複写モードを例に説明すると、図３に示すように、複写条件を指定する複数のメニュー選択キーがソフトウェアキーの形態で配置された操作画面が表示されるタッチパネル式のカラー表示部１１０と、画像形成動作を起動させるためのスタートキーや、数値入力するための数値入力キー等のハードウェアキー１２０と、該複合機１の現在使用されているモードをユーザに知らせるＬＥＤ１３０と、前記各種キーに対する操作入力の検知や、前記カラー表示部１１０への前記ソフトウェアキーの表示出力等を制御する操作制御部１００等を備えて構成されている。尚、前記カラー表示部１１０は、本発明における表示部である。
【００２０】
前記ハードウェアキー１２０は前記カラー表示部１１０の右側に配置される基本制御キー群１４０と、前記カラー表示部１１０の左側に配置される特殊モード設定キー群１５０とからなり、前記基本制御キー群１４０は、例えば複写モードにおいて、プリント枚数などを設定する数値入力キー１４１、前記プリントキーとしてのスタートキー１４２、クリアキー１４３、ストップキー１４４、リセットキー１４５等から構成されている。前記特殊モード設定キー１５０は、例えば、該複合機１の印刷ジョブ等の状態を確認して選択した印刷ジョブ等の印刷条件を変更し、または中止する状況確認モードに移行する状況確認／ジョブ中止キー１５１と、複写モードに移行するコピーキー１５２と、該複合機１で行う様々なジョブをプログラムし、当該プログラムを呼び出すことで当該ジョブを実行させるプログラムモードに移行するプログラムキー１５３と、ＦＡＸ送信モードに移行する送信キー１５４と、ユーザ毎のデータを記憶し、当該データを呼び出し、ジョブを実行させる文書箱モードに移行する文書箱キー１５５から構成されている。
【００２１】
前記操作制御部１００は、前記ＬＥＤ１３０の消点灯制御を行い該複合機１の使用モード等をユーザに知らせると共に、前記カラー表示部１１０へ、使用モード毎に用意され前記ソフトウェアキー等が配された複数の画面を切り替え表示するタブ等を備えてなる操作画面やジョブ一覧などを表示する表示制御手段１０１と、前記ハードウェアキー１２０や前記カラー表示部１１０のソフトウェアキーからの操作入力を検知し、前記制御部１７等へ出力する入力検知手段１０２とからなり、これらの機能は、前記操作制御部１００が備える、ＣＰＵと、当該ＣＰＵで実行される制御プログラムが記憶されたＲＯＭと、作業領域となるＲＡＭ等により実行される。
【００２２】
前記入力検知手段１０２は、図１に示すように、前記カラー表示部１１０に表示された後述するフォームリスト１１０ａから、原稿画像を重ね合わせるフォーム画像１１０ｂに付されたファイル名を選択するフォーム画像選択手段１０２ａを備えている。
【００２３】
前記表示制御手段１０１は、前記フォームリスト１１０ａを前記カラー表示部１１０に表示するフォームリスト表示手段１０１ａと、本発明の表示手段であり、前記フォーム画像選択手段１０２ａに選択されたファイル名が付されたフォーム画像１１０ｂを前記カラー表示部１１０に表示するフォーム画像表示手段１０１ｂと、前記画像読取部１２から入力された原稿画像１１０ｃを前記カラー表示部１１０に表示する原稿画像表示手段１０１ｃと、前記原稿画像１１０ｃを前記フォーム画像１１０ｂに重ね合せた合成画像１１０ｄを前記カラー表示部１１０に表示する合成画像表示手段１０１ｄとを備え、前記合成画像表示手段１０１ｄは、前記画像読取部１２にセットされた複数枚の原稿から少なくとも一枚の原稿画像１１０ｃを入力して当該原稿画像１１０ｃとの合成画像１１０ｄを表示する原稿読取起動キー１１０ｅを備える。
【００２４】
換言すると、前記原稿読取起動キー１１０ｅが押圧されると、前記入力検知手段１０２が検知し、前記画像読取部１２により１枚の原稿画像１１０ｃが前記原稿画像表示手段１０１ｃに入力され、前記原稿画像表示手段１０１ｃと前記フォーム画像表示手段１０１ｂとからの入力を受けた前記合成画像表示手段１０１ｄにより当該原稿画像１１０ｃをフォーム画像１１０ｂに重ね合わせた合成画像１１０ｄが前記カラー表示部１１０に表示されるように構成されている。
【００２５】
前記画像処理手段１３ａは、複数のフォーム画像１１０ｂを記憶したフォーム画像編集操作手段１３ａ１と、前記合成画像表示手段１０１ｄにより表示された合成画像１１０ｄに対して前記フォーム画像１１０ｂを編集操作するフォーム画像編集操作手段１３ａ２と、前記画像読取部１２が入力した原稿画像１１０ｃと前記フォーム画像編集操作手段１３ａ２が編集操作を行ったフォーム画像１１０ｂとの印刷用の合成画像を生成する合成画像生成手段１３ａ４を備え、前記フォーム画像編集操作手段１３ａ２は、前記フォーム画像１１０ｂの濃度、カラー、向き、位置、または、倍率の何れかを編集操作する編集操作部１３ａ３を備える。
【００２６】
前記フォーム画像編集操作手段１３ａ２は、前記フォーム画像格納手段１３１ａ１に記憶された複数のフォーム画像１１０ｂに付された複数のファイル名からなる前述の前記フォームリスト１１０ａを前記フォームリスト表示手段１０１ａに出力する。また、前記カラー表示部１１０に表示された前記フォームリスト１１０ａから前記フォーム画像選択手段１０２ａにより選択されたファイル名が付されたフォーム画像１１０ｂに対し、前記編集操作部１３ａ３を起動して編集操作を行い、編集操作を行った前記フォーム画像１１０ｂを前記フォーム画像表示手段１０１ｂと、前記合成画像生成手段１３ａ４に出力する。
【００２７】
前記画像形成手段１３ｂは、合成画像印刷手段１３ｂ１を備え、前記合成画像印刷手段１３ｂ１は、前記合成画像生成手段１３ａ４が生成した印刷用の合成画像を印刷する。
【００２８】
該複合機１は、図４（ａ）に示すように、前記複写モードにおける操作画面に配置された「応用／その他」タブが押圧されて、前記カラー表示部１１０に表示される操作画面に配置された「イメージ合成」ボタンが押圧されると、前記画像読取部１２から入力された原稿画像を、選択されたフォーム画像に重ね合わせて印刷するイメージ合成印刷を実行するイメージ合成印刷モードとなる。
【００２９】
以下に、該複合機１をイメージ合成印刷モードで使用し、前記画像読取部１２から入力された原稿画像１１０ｃをイメージ合成印刷する場合について説明する。但し、本発明によるイメージ合成印刷に関する機能は、イメージ合成印刷モードでのみ使用できるものではなく、例えば、前記画像読取部１２から入力された原稿画像１１０ｃに換えて、前記外部インターフェース１６を介して外部の端末から入力された原稿画像１１０ｃに対してイメージ合成印刷する際にも適用することができる。この際、該複合機１の前記カラー表示部１１０にかえて、前記外部の端末の表示部を用いる構成とすれば良く、関連する各手段に変更設計を施すことは言うまでもない。
【００３０】
該複合機１が前記イメージ合成印刷モードとなると、前記操作制御部１００は、イメージ合成印刷を行うフォーム画像１１０ｂの選択を促す「第一フォーム画像選択画面」１１０ｆを、前記カラー表示部１１０に表示する。
【００３１】
前記「第一フォーム画像選択画面」１１０ｆは、図４（ｂ）に示すように、当該画面上部に使用者への操作案内メッセージを表示するメッセージ欄が設けられ、当該画面左側には、選択されたフォーム画像１１０ｂの濃度を百分率で表示する濃度欄１１０ｆ１と、前記濃度欄１１０ｆ１の下側に、前記濃度を高く設定する際に押圧する「＋」ボタン１１０ｆ２と、前記濃度を低く設定する際に押圧する「−」ボタン１１０ｆ３とが配されている。当該画面の中央部には前記選択されたフォーム画像１１０ｂが表示されるフォーム画像表示枠１１０ｆ４と、前記画像読取部１２に読み取られた原稿画像１１０ｃの１枚が表示される原稿画像表示枠１１０ｆ５とが配置され、前記フォーム画像表示枠１１０ｆ４と前記原稿画像表示枠１１０ｆ５の下側には、前記フォーム画像表示枠１１０ｆ４に表示する前記フォーム画像１１０ｂを選択するときに押圧する「フォーム画像選択」ボタン１１０ｆ７と、前記フォーム画像１１０ｂの編集操作を行うときに押圧する「フォーム編集」ボタン１１０ｆ８が配されている。当該画面の右側には前記フォーム画像１１０ｂに前記原稿画像１１０ｃを重ね合わせて表示する合成画像表示枠１１０ｆ６が配置され、その下側に、押圧されると、前記画像読取部１２によって１枚の原稿の原稿画像を読み取り、前記原稿画像表示手段１０１ｃに出力する「原稿プレ読込」と記された前記合成画像表示手段１０１ｄの備える前記原稿読取起動キー１１０ｅと、イメージ合成印刷を実行する「ＯＫ」ボタン１１０ｆ９が配されている。
【００３２】
前記「＋」「−」ボタン１１０ｆ２、１１０ｆ３が押圧されると、当該操作に連動して前記濃度欄１１０ｆ１に表示された数値が変化すると共に、前記編集操作部１３ａ３により、前記濃度欄１１０ｆ１に表示された数値に即して前記フォーム画像１１０ｂの濃度が調整されるように構成されている。尚、前記濃度は１０〜１００％の範囲で設定可能に構成されている。
【００３３】
前記フォーム画像選択ボタン１１０ｆ７が押圧されると、前記フォーム画像編集操作手段１３ａ２が起動し、前記カラー表示部１１０に、「第二フォーム画像選択画面」１１０ｇが表示される。
【００３４】
前記「第二フォーム画像選択画面」１１０ｇは、図５に示すように、当該画面上部に使用者への操作案内メッセージを表示するメッセージ欄が設けられ、当該画面左側には、前記フォームリスト表示手段１０１ａにより前記フォーム画像格納手段１３ａ１に記憶された複数のフォーム画像１１０ｂのファイル名からなる前記フォームリスト１１０ａが表示され、前記フォームリスト１１０ａの右側には、上下対象の２つの図形の１組からなるスクロールボタン１１０ｇ１が配されている。当該画面の右側には前記フォームリスト１１０ａに表示されたファイル名のうち、押圧により選択されたファイル名が付されたフォーム画像１１０ｂを表示するフォーム画像表示枠１１０ｇ２が配置され、前記フォーム画像表示枠１１０ｇ２の下側に、前記フォーム画像１１０ｂの選択が終了した際に押圧する「選択終了」ボタン１１０ｇ３が配されている。
【００３５】
前記フォームリスト１１０ａは、前記フォーム画像格納手段１３ａ１に多数のフォーム画像１１０ｂが記憶されているため、全てのファイル名を１度に表示しきれないときには、上向きのスクロールボタン１１０ｇ１を押圧して前記フォームリスト１１０ａに表示されたファイル名を上向きにスクロールするか、下向きのスクロールボタン１１０ｇ１を押圧して前記フォームリスト１１０ａに表示されたファイル名を下向きにスクロールして、表示されていないファイル名を前記フォームリスト１１０ａに表示することができるように構成されている。
【００３６】
前記フォームリスト１１０ａ上のファイル名の押圧を検知した前記フォーム画像選択手段１０２ａは、前記フォーム画像編集操作手段１３ａ２に出力し、前記フォーム画像編集操作手段１３ａ２は、選択された前記ファイル名が付されたフォーム画像１１０ｂを前記フォーム画像表示手段１０１ｂに出力し、前記フォーム画像表示手段１０１ｂは前記フォーム画像１０１ｂを前記フォーム画像表示枠１１０ｇ２に表示するように構成されている。尚、押圧された前記ファイル名は、ネガポジ反転され、他のファイル名が押圧されると、再度ネガポジ反転されて元の状態に戻り、当該他のファイル名がネガポジ反転されるように構成されている。
【００３７】
前記選択終了ボタン１１０ｇ３が押圧されると、図６（ａ）に示すように、再度「第一フォーム画像選択画面」１１０ｆが、前記フォーム画像表示枠１１０ｆ４に前記選択したフォーム画像１１０ｃが表示された状態で、前記カラー表示部１１０に表示されるように構成されている。
【００３８】
前記原稿読取起動キー１１０ｅが押圧されると、前記画像読取部１２により原稿の１枚の原稿画像が読み取られ、前記原稿画像表示手段１０１ｃに出力され、図６（ｂ）に示すように、前記原稿画像表示枠１１０ｆ５に前記原稿画像１１０ｃが表示される。
【００３９】
前記フォーム画像表示枠１１０ｆ４に前記フォーム画像１１０ｂが表示されているときに、前記フォーム編集ボタン１１０ｆ８が押圧されると、前記カラー表示部１１０には、「フォーム画像編集画面」１１０ｈが表示される。
【００４０】
前記「フォーム画像編集画面」１１０ｈは、図７に示すように、当該画面上部に使用者への操作案内メッセージを表示するメッセージ欄が設けられ、当該画面の左側には、前記原稿画像１１０ｃを重ね合わせる前記フォーム画像１１０ｂの表示位置を調整するため、前記数値入力キー１４１により数値を入力する位置調整枠１１０ｈ１が備えられ、入力された前記数値に合わせて前記フォーム画像１１０ｂの表示位置が調整される。前記位置調整枠１１０ｈ１の右側には、押圧すると、前記フォーム画像１１０ｂを右９０度、または左９０度、または１８０度に回転させる回転調整ボタン１１０ｈ２が備えられ、その右側には、押圧して色を選択することで前記フォーム画像１１０ｂのカラーを調整する色相環１１０ｈ３が備えられている。当該画面の右側には、前記数値入力キー１４１により数値を入力して、前記フォーム画像１１０ｂの倍率を調整する倍率調整枠１１０ｈ４が配され、その下側には、押圧すると、前記フォーム画像１１０ｂに対して行った編集操作を確定し、前記カラー表示部に再び「第一フォーム画像選択画面」１１０ｆを表示する「ＯＫ」ボタン１１０ｈ５と、押圧すると、前記フォーム画像に対して行った編集操作を取り消し、前記カラー表示部に再び「第一フォーム画像選択画面」１１０ｆを表示する「キャンセル」ボタン１１０ｈ６が配されている。
【００４１】
前記位置調整枠１１０ｈ１と、前記回転調整ボタン１１０ｈ２と、前記色相環１１０ｈ３と、前記倍率調整枠１１０ｈ４に対して行われた操作は、前記入力検知手段１０２が検知し、前記編集操作部１３ａ３に出力され、前記編集操作部１３ａ３は、当該操作内容に応じて、前記フォーム画像１１０ｂを編集し、編集された前記フォーム画像１１０ｂは、前記フォーム画像表示枠１１０ｆ４に表示され、更に、前記合成画像表示枠１１０ｆ６には、編集された前記フォーム画像１１０ｂに重ね合わせて前記原稿画像１１０ｃが表示される。
【００４２】
前記「第一フォーム画像選択画面」１１０ｆの前記「ＯＫ」ボタン１１０ｆ９が押圧されると、前記画像読取部１２は、全ての原稿から原稿画像を読み取り、前記合成画像生成手段１３ａ４は、編集された前記フォーム画像１１０ｂに当該原稿画像１１０ｂの夫々を重ね合わせて合成した複数の合成画像を生成し、前記合成画像生成手段１３ｂ１は、前記複数の合成画像の夫々に対して、イメージ合成印刷を実行する。
【００４３】
以下に、該複合機１によるイメージ合成印刷について、図８に示すフローチャートに従って説明する。
【００４４】
該複合機１がイメージ合成印刷モードにあるときに（Ｓ１）、フォーム画像１１０ｂが選択されると（Ｓ２）、選択されたフォーム画像１１０ｂがカラー表示部１１０に表示される（Ｓ３）。
【００４５】
原稿読取起動キー１１０ｅが押圧されると（Ｓ４）、１枚の原稿から原稿画像１１０ｃが読み取られ、前記フォーム画像１１０ｂに前記原稿画像１１０ｃが重ね合わせられた合成画像１１０ｄが、前記カラー表示部１１０に表示される（Ｓ５）。
【００４６】
前記フォーム画像１１０ｂが編集されると（Ｓ６）、編集が加えられた前記フォーム画像１１０ｂに前記原稿画像１１０ｃが重ね合わせられた合成画像１１０ｄが前記カラー表示部１１０に表示される（Ｓ７）。
【００４７】
ＯＫボタン１１０ｆ９が押圧されると（Ｓ８）、前記画像読取部１２により残りの原稿の夫々の原稿画像１１０ｃが読み取られ、編集が加えられた前記フォーム画像１１０ｂに前記夫々の原稿画像１１０ｃが重ね合わせられた複数の合成画像を印刷するイメージ合成印刷が実行される（Ｓ９）。
【００４８】
以下に、別実施形態を説明する。上述の実施形態では、前記原稿読取起動キー１１０ｅが押し圧されると、１枚の原稿より原稿画像１１０ｃが読み取られる構成としたが、全ての原稿より原稿画像１１０ｃが読み取られる構成としても良い。この場合、１枚の原稿画像１１０ｃを読み取った時点で、原稿画像の読取作業は継続しながら、前記原稿画像表示枠１１０ｆ５には、読み取った前記原稿画像１１０ｃを表示する構成とすることで、イメージ合成印刷作業の作業効率を低下させることなく、更に、イメージ合成印刷実行時に改めて続きの原稿画像１１０ｃを読み取る必要がなくなり、作業時間の短縮を図ることができる。
【００４９】
上述の実施形態では、前記編集操作部１３ａ３は、前記フォーム画像１１０ｂの濃度、カラー、向き、位置、倍率の全てを編集操作する構成としたが、当該編集操作を実行するＣＰＵやＲＡＭの能力に合わせ、前記フォーム画像１１０ｂの濃度、カラー、向き、位置、または、倍率の何れかを編集操作する構成とすることで該複合機１の製造コストを抑えることができる。
【００５０】
上述の実施形態では、前記「フォーム画像編集画面」１１０ｈで行った編集操作が加えられたフォーム画像１１０ｂの編集結果は、ＯＫボタン１１０ｈ５が押圧されて再度表示された前記「第一フォーム画像選択画面」１１０ｆの前記フォーム画像表示枠１１０ｆ４や、前記合成画像表示枠１１０ｆ６で確認する必要があったが、前記「フォーム画像編集画面」１１０ｈに前記編集操作が加えられたフォーム画像１１０ｂを表示する表示枠を配置し、前記表示枠を確認することで編集結果を確認することができる構成としてもよく、この場合、イメージ合成印刷の編集作業を効率よく進めることができる。
【００５１】
上述した何れの実施形態も本発明の一例に過ぎず、本発明の作用効果を奏する範囲において各ブロックの具体的構成等を適宜変更設計できることはいうまでもない。
【図面の簡単な説明】
【００５２】
【図１】本発明に関する機能ブロック図
【図２】複合機の外観図
【図３】操作部の説明図
【図４】（ａ）複写モードの操作画面の説明図、（ｂ）第一フォーム画像選択画面の説明図
【図５】第二フォーム画像選択画面の説明図
【図６】（ａ）第一フォーム画像選択画面の説明図、（ｂ）第一フォーム画像選択画面の説明図
【図７】フォーム画像編集画面の説明図
【図８】イメージ合成印刷の説明に用いるフローチャート
【符号の説明】
【００５３】
１０：操作部
１２：原稿読取手段（画像読取部）
１３：画像形成部
１３ａ１：フォーム画像格納手段
１３ａ２：フォーム画像編集操作手段
１３ａ３：編集操作部
１３ｂ１：合成画像印刷手段
１００：操作制御部
１０１ｂ：表示手段（フォーム画像表示手段）
１０１ｄ：合成画像表示手段
１１０：表示部（カラー表示部）
１１０ｃ：原稿画像
１１０ｄ：合成画像
１１０ｅ：原稿読取起動キー
【図１】
2007306263.tif 000003
【図２】
2007306263.tif 000004
【図５】
2007306263.tif 000005
【図８】
2007306263.tif 000006
【図３】
2007306263.tif 000007
【図４】
2007306263.tif 000008
【図６】
2007306263.tif 000009
【図７】
2007306263.tif 000010